【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
患者に多数の流体を送出するためのシステムであって、
少なくとも第1タンク及び第2タンクであって、それぞれが流体を収容すると共に特徴要素が関連付けられており、前記第1タンクの前記特徴要素は前記第2タンクの前記特徴要素とは異なる、少なくとも第1タンク及び第2タンクと、
少なくとも第1及び第2入口ポートであって、それぞれには特徴要素が関連付けられており、前記第1入口ポートの前記特徴要素は前記第2入口ポートの前記特徴要素とは異なる、少なくとも第1及び第2入口ポートとを備え、
前記第1タンクの前記特徴要素は、前記第1入口ポートの前記特徴要素又は前記第1タンクと前記第1入口ポートとの間の第1中間結合部品に補完的であり、前記第2タンクの前記特徴要素は、前記第2入口ポートの前記特徴要素に補完的であり、組み付けられると、前記第1タンクは前記第1入口ポートのみに流体結合可能であり、前記第2タンクは前記第2入口ポートのみに流体結合可能であり、よって前記流体の誤送出を防止する、システム。
【請求項２】
少なくとも前記第1及び第2入口ポートに結合された注入ポンプをさらに含む、請求項1に記載のシステム。
【請求項３】
前記第1及び第2入口ポートは、前記注入ポンプの外部に配置された又は前記注入ポンプ内に形成されたマニホルドである、請求項2に記載のシステム。
【請求項４】
前記第1タンクは調整剤を収容し、前記第2タンクは対抗制御的薬剤を収容する、請求項1に記載のシステム。
【請求項５】
前記第1入口ポートの前記特徴要素は第1表面特徴を含み、前記第2入口ポートの前記特徴要素は第2表面特徴を含み、前記第1表面特徴は前記第2表面特徴とは異なる、請求項1に記載のシステム。
【請求項６】
前記各第1及び第2入口ポートには、前記第1及び第2タンクをそれぞれ穿孔するための穿孔要素が形成されている、請求項1に記載のシステム。
【請求項７】
前記注入ポンプは、前記第1入口ポートに流体結合された第1出口ポートと、前記第1入口ポートに流体結合された第2出口ポートを含む、請求項2に記載のシステム。
【請求項８】
特徴要素が関連付けられていると共に該特徴要素が少なくとも前記第1入口ポートの前記特徴要素と係合とするよう構成された第1キャップ要素と、
特徴要素が関連付けられていると共に該特徴要素が少なくとも前記第2入口ポートの前記特徴要素と係合とするよう構成された第2キャップ要素とをさらに含み、
前記第1キャップ要素の前記特徴要素は、前記第1入口ポートの前記特徴要素に形状が補完的であり、前記第2キャップ要素の前記特徴要素は、前記第2入口ポートの前記特徴要素に形状が補完的であり、組み付けられると、前記第1キャップ要素は前記第1入口ポートのみに流体結合可能であり、前記第2キャップ要素は前記第2入口ポートのみに流体結合可能である、請求項7に記載のシステム。
【請求項９】
前記第1及び第2キャップ要素は、それぞれ前記第1及び第2タンクと前記第1及び第2送出ポートとに同時に係合して前記タンクを所定位置に固定する、請求項8に記載のシステム。
【請求項１０】
多チャンネルルーメンアッセンブリであって、
前記注入ポンプの前記第1入口ポートに流体結合される入口ポート及び出口ポートを備えた第1チューブと、
前記注入ポンプの前記第2入口ポートに流体結合される入口ポート及び出口ポートを備えた第2チューブとを備えた多チャンネルルーメンアッセンブリと、
前記第1チューブの前記出口ポートに流体結合された第1入口ポート及び前記第2チューブの前記出口ポートに流体結合された第2入口ポートを備えた注入セットとをさらに含み、前記注入セットは前記流体を前記患者に送出するよう構成されている、請求項2に記載のシステム。
【請求項１１】
異なる特徴要素が前記第1及び第2入口ポートに存在し、前記各異なる特徴要素は、各入口ポートの周囲において、前記注入ポンプのハウジングの壁のそれぞれの特徴要素に関連付けられている、請求項1に記載のシステム。
【請求項１２】
患者に多数の流体を送出するためのシステムであって、
それぞれが、内部に流体を収容したタンク要素を収容するよう適合された少なくとも第1及び第2マニホルドであって、前記第1及び第2マニホルドのそれぞれには特徴要素が関連付けられており、前記第1マニホルドの前記特徴要素は前記第2マニホルドの前記特徴要素とは異なる、1及び第2マニホルドと、
少なくとも第1及び第2ポートであって、それぞれには特徴要素が関連付けられており、前記第1ポートの前記特徴要素は前記第2ポートの前記特徴要素とは異なる、少なくとも第1及び第2ポートとを含み、
前記第1マニホルドに関連付けられた前記特徴要素は、前記第1ポートの前記特徴要素又は前記第1マニホルドと前記第1入口ポートとの間の第1中間結合部品に補完的であり、前記第2マニホルドに関連付けられた前記特徴要素は、前記第2入口ポートの前記特徴要素に補完的であり、組み付けられると、前記第1マニホルドは前記第1ポートのみに流体結合可能であり、前記第2マニホルドは前記第2ポートのみに流体結合可能であり、よって前記流体の誤送出を防止する、システム。
【請求項１３】
患者に多数の流体を送出するためのシステムであって、
第1及び第2ポートが関連付けられた注入ポンプであって、前記第1及び第2ポートには特徴要素が関連付けられた注入ポンプと、
多チャンネルルーメンアッセンブリであって、
前記注入ポンプの前記第1ポートに流体結合される入口ポート及び出口ポートを備えた第1チューブと、
前記注入ポンプの前記第2ポートに流体結合される入口ポート及び出口ポートを備えた第2チューブとを備えた多チャンネルルーメンアッセンブリと、を含み、
前記多チャンネルルーメンアッセンブリの前記第1チューブの前記入口ポートには特徴要素が関連付けられており、前記多チャンネルルーメンアッセンブリの前記第2チューブの前記入口ポートには特徴要素が関連付けられており、
前記注入ポンプの前記第1ポートの前記特徴要素は、前記第1チューブの前記入口ポートの前記特徴要素に形状が補完的であり、前記注入ポンプの前記第2ポートの前記特徴要素は、前記第2チューブの前記入口ポートの前記特徴要素に形状が補完的であり、組み付けられると、前記第1ポートは前記第1チューブの前記入口ポートのみに流体結合可能であり、前記第2ポートは前記第2チューブの前記入口ポートのみに流体結合可能であり、よって前記流体の誤送出を防止する、システム。
【請求項１４】
前記注入ポンプの前記第1ポートに関連付けられた前記特徴要素は、前記注入ポンプの前記第2出口ポートに関連付けられた前記特徴要素とは異なり、前記多チャンネルルーメンアッセンブリの前記第1チューブの前記入口ポートに関連付けられた前記特徴要素は、前記多チャンネルルーメンアッセンブリの前記第2チューブの前記入口ポートに関連付けられた前記特徴要素とは異なる、請求項13に記載のシステム。
【請求項１５】
前記注入ポンプの前記第1ポートに関連付けられた前記特徴要素及び前記多チャンネルルーメンアッセンブリの前記第1チューブの前記入口ポートは、差込み型の流体接続を形成する、請求項13に記載のシステム。
【請求項１６】
前記注入ポンプの前記第1ポートに関連付けられた各特徴要素及び前記多チャンネルルーメンアッセンブリの前記第1チューブの前記入口ポートは、オスコネクタ部及びそこから外側に延伸するメスコネクタ部を備えたベース部を含み、
前記注入ポンプの前記第1ポートに関連付けられた前記特徴要素の前記オスコネクタ部は、前記第1チューブの前記入口ポートの前記特徴要素の前記メスコネクタ部に結合するよう構成され、前記注入ポンプの前記第1ポートに関連付けられた前記特徴要素の前記メスコネクタ部は、前記第1チューブの前記入口ポートの前記特徴要素の前記オスコネクタ部に結合するよう構成されている、請求項13に記載のシステム。
【請求項１７】
前記多チャンネルルーメンアッセンブリの前記第1チューブ及び前記第2チューブは、前記アッセンブリの長さの少なくとも一部に沿って互いに結合されており、前記第1チューブは、表面特徴が関連付けられた外側表面を含み、前記第2チューブは、表面特徴が関連付けられた外側表面を含み、前記第1及び第2チューブの前記表面特徴は形状が補完的であり、互いに係合して前記第1及び第2チューブを互いに結合させるよう構成されている、請求項13に記載のシステム。
【請求項１８】
前記第1チューブに関連付けられた前記表面特徴はレール式要素であり、前記第2チューブに関連付けられた前記表面特徴は、前記レール式要素を収容しかつ取り付けるよう寸法決めされかつ構成されたチャンネルを含み、前記第1及び第2チューブは着脱可能かつ交換可能に互いに結合できる、請求項17に記載のシステム。
【請求項１９】
前記第1チューブの前記出口ポートに流体結合された第1入口ポート及び前記第2チューブの前記出口ポートに流体結合された第2入口ポートを備えた注入セットをさらに含み、前記注入セットは前記流体を前記患者に送出するよう構成されている、請求項17に記載のシステム。
【請求項２０】
患者に多数の流体を送出するためのシステムであって、
第1及び第2ポートを備えた注入ポンプと、
多チャンネルルーメンアッセンブリであって、
前記注入ポンプの前記第1ポートに流体結合されるよう構成された入口ポート及び出口ポートを備えた第1チューブと、
前記注入ポンプの前記第2ポートに流体結合されるよう構成された入口ポート及び出口ポートを備えた第2チューブとを備え、
前記多チャンネルルーメンアッセンブリの前記第1チューブの前記出口ポートには特徴要素が関連付けられており、前記多チャンネルルーメンアッセンブリの前記第2チューブの前記出口ポートには特徴要素が関連付けられている、多チャンネルルーメンアッセンブリと、
前記第1チューブの前記出口ポートに流体結合された第1入口ポート及び前記第2チューブの前記出口ポートに流体結合された第2入口ポートを備えると共に、前記流体を前記患者に送出するよう構成されている注入セットであって、前記第1入口ポートには特徴要素が関連付けられており、前記第2入口ポートには特徴要素が関連付けられている、注入セットとを含み、
前記第1チューブの前記出口ポートの前記特徴要素は、前記注入セットの前記第1入口ポートの前記特徴要素に形状が補完的であり、前記第2チューブの前記出口ポートの前記特徴要素は、前記注入セットの前記第2入口ポートの前記特徴要素に形状が補完的であり、組み付けられると、前記第1チューブの前記出口ポートは前記第1入口ポートのみに流体結合可能であり、前記第2チューブの前記出口ポートは前記第2入口ポートのみに流体結合可能であり、よって前記流体の誤送出を防止する、システム。
【請求項２１】
前記注入ポンプは第1及び第2マニホルドをさらに含み、前記第1マニホルドは第1タンクを収容するよう適合され、前記第2マニホルドは第2タンクを収容するよう適合されている、請求項20に記載のシステム。
【請求項２２】
前記第1チューブの前記出口ポートに関連付けられた前記特徴要素は、前記第2チューブの前記出口ポートに関連付けられた前記特徴要素とは異なり、前記注入セットの前記第1入口ポートに関連付けられた前記特徴要素は、前記注入セットの前記第2入口ポートに関連付けられた前記特徴要素とは異なる、請求項20に記載のシステム。
【請求項２３】
前記注入セットは、ベース部を備えかつそれに結合された第1及び第2穿孔要素を備える、請求項20に記載のシステム。
【請求項２４】
前記穿孔要素が金属、非金属、又はそれらの組合せから作製されている、請求項20に記載のシステム。
【請求項２５】
前記第1穿孔要素が金属から作製され、前記第2穿孔要素が非金属から作製されている、請求項23に記載のシステム。
【請求項２６】
前記第1穿孔要素が第1長さを備え、前記第2穿孔要素が前記第1長さとは異なる第2長さを備える、請求項23に記載のシステム。